(57)【要約】【課題】  使用者からは見えない位置にカードリーダが搭載された場合であっても、確実に携帯情報端末をカードリーダからの通信可能な位置に誘導する。【解決手段】  車両に搭載され携帯情報端末と無線通信を行う車載電子機器であって、座席前方のインストルメントパネルに埋設される筐体と、操作入力部を有する操作パネルと、前記携帯情報端末と電波を送受信するアンテナを備えた通信部と、前記筐体の前面部に設けられ、前記操作パネルを前記座席に着座した使用者が操作可能な位置に保持する保持部とを有し、前記保持部は、その下方側に前記通信部を有し、さらに前記通信部に対する位置を示すマーカ画像を前記携帯情報端末に投影するマーカ光源を有するので、通信部（カードリーダ）が使用者から見えない位置に設けられている場合でも、確実に携帯情報端末を通信可能な位置に誘導できる。【選択図】  図６
2010221785.tif 000002
【特許請求の範囲】
【請求項１】
車両に搭載され携帯情報端末と無線通信を行う車載電子機器であって、
座席前方のインストルメントパネルに埋設される筐体と、
操作入力部を有する操作パネルと、
前記携帯情報端末と通信を行うアンテナを備えた通信部と、
前記筐体の前面部に設けられ、前記操作パネルを前記座席に着座した使用者が操作可能な位置に保持する保持部とを有し、
前記保持部は、その下方側に前記通信部を有し、さらに当該通信部に対する位置を示すマーカ画像を前記携帯情報端末に投影するマーカ光源を有することを特徴とする車載電子機器。
【請求項２】
請求項１において、
前記マーカ光源は、前記通信部近傍に設けられることを特徴とする車載電子機器。
【請求項３】
請求項１または２において、
前記マーカ光源は、前記携帯情報端末との距離が第１の距離ときには第１の大きさのマーカ画像を投影し、前記携帯情報端末との距離が前記第１の距離より大きい第２の距離のときには前記第１の大きさより大きい第２の大きさのマーカ画像を投影するように、所定の角度を有するマーカ光を照射することを特徴とする車載電子機器。
【請求項４】
請求項１において、
前記携帯情報端末は、前記マーカ画像とともに前記通信部に対する位置を示す目印を有することを特徴とする車載電子機器。
【請求項５】
請求項１において、
前記通信部は、前記携帯情報端末に予め格納される認証情報を受信することを特徴とする車載電子機器。
【発明の詳細な説明】
【技術分野】
【０００１】
本発明は、使用者が携行する携帯情報端末と無線通信を行う車載電子機器に関し、特に、無線通信用のアンテナから通信可能な位置に携帯情報端末を誘導する技術に関する。
【背景技術】
【０００２】
近年、車載電子機器は多機能化されている。例えば、カーナビゲーションやカーオーディオに加え、携帯情報端末と近距離での無線通を行う機能を備えた車載電子機器が知られている。かかる近距離無線通信手段として、Blue Tooth（登録商標）が用いられる。Blue Toothは、近距離通信用のプロトコルである。２．４ＧＨｚの周波数帯における周波数ホッピング型のスペクトラム拡散方式により、１Ｍｂｐｓ以上の通信速度でデータ通信を可能にする。
【０００３】
Blue Toothにより、例えば携帯情報端末から楽曲データを車載電子機器に送信して楽曲を再生出力することができる。あるいは、車載電子機器にマイクロフォンを備え、携帯情報端末（携帯電話機）を介して外部と通話を行うハンズフリー通話機器として使用できる。
【０００４】
Blue Toothでは、通信相手を認証する初期設定が必要になる。かかる初期設定を行う場合には、使用者は例えば携帯情報端末に認証番号を操作入力する。すると、携帯情報端末から車載電子機器に認証番号が送信されて認証が行われる。しかし、かかる操作入力は一般に使用者にとって煩雑である。
【０００５】
そこで、使用者がかかる初期設定を容易に行えるような方法が提案されている。例えば、Blue Toothモジュールのほかに、携帯情報端末に非接触型のＩＣカードを、車載電子機器にはカードリーダを搭載する。そして、携帯情報端末に予め認証情報を記憶させておき、使用者が携帯情報端末をカードリーダにかざすことにより、認証情報が送信されるようにする。そうすることにより、使用者に煩雑な操作入力を強いることなく、初期設定が可能となる。特許文献１には、非接触型のＩＣカードに関する技術が開示されている。  
【先行技術文献】
【特許文献】
【０００６】
【特許文献１】特開２００７−１５０４９３号公報
【発明の概要】
【発明が解決しようとする課題】
【０００７】
上記のような携帯情報端末に用いられる非接触型のＩＣカードは、種々知られている。たとえば、ＦｅｌｉＣａ（登録商標）である。カードリーダが発信する電波を受けると電磁誘導により給電され、データ送信を行う。カードリーダが発する電波は、他の電子機器に対するノイズや他のＩＣカードとの混信、あるいは人体への影響を低減させるために微弱なレベルに設定される。具体的には、１０ｍ程度の距離範囲以内で通信が可能な程度のレベルが用いられる。
【０００８】
しかしながら、車載電子機器はその筐体内に種々の電子回路を収容している。よって、カードリーダが発する電波が微弱とはいえ、これら電子回路に悪影響を与えることを避けるために、カードリーダを筐体から離間させて設けることが望ましい。
【０００９】
またカードリーダは一般的にループアンテナを用いて電波の送受信を行う。ループアンテナのサイズは、送受信する電波の周波数と通信距離とに対応する。よって、例えば１３．５６ＭＨｚの搬送波を用い、１０ｍ程度の距離範囲以内で通信を行うＦｅｌｉＣａ用のカードリーダの場合、搭載するためには１０ｃｍ四方程度の面積を必要とする。すると、車載電子機器においては、全体的な意匠への影響を抑えるために、目立たない位置に搭載することが望ましい。
【００１０】
このような制約のもと、本発明者は、図１に示すようにカードリーダを搭載する着想を得た。
【００１１】
図１は、車載電子機器におけるカードリーダの搭載位置を説明する図である。この車載電子機器２は、インストルメントパネルＩＰに筐体４が埋設され、筐体４から前方の使用者に向かって延伸した保持部８により操作パネル６が保持される構造を有する。これにより、操作パネル６が使用者に対向して、使用者が操作入力しやすいように保持される。ここで、筐体４または操作パネル６から離間し、かつ目立たない位置として、保持部８の下部にカードリーダ１０が設けられる。そして、保持部８の下方側において、携帯情報端末５０とのデータ通信が行われる。
【００１２】
しかしながら、この方法によると、使用者にとってはカードリーダ１０が操作パネル６に遮られて見えないので、手探りで携帯情報端末５０をカードリーダ１０にかざすことになる。このとき、カードリーダ１０と携帯情報端末５０を近づけすぎて衝突させ、いずれかまたは両方を破損したり、あるいは保持部８と携帯情報端末５０との間に指を挟んで傷めたりするおそれがある。また、かかる事態を避けようとして十分な距離に近づけないと、データ通信に失敗するという問題がある。
【００１３】
そこで、本発明の目的は、使用者からは見えない位置にカードリーダが搭載された場合であっても、確実に携帯情報端末をカードリーダから通信可能な位置に誘導できる車載電子機器を提供することにある。
【課題を解決するための手段】
【００１４】
本発明によれば、車両に搭載され携帯情報端末と無線通信を行う車載電子機器であって、座席前方のインストルメントパネルに埋設される筐体と、操作入力部を有する操作パネルと、前記携帯情報端末と通信するアンテナを備えた通信部と、前記筐体の前面部に設けられ、前記操作パネルを前記座席に着座した使用者が操作可能な位置に保持する保持部とを有し、前記保持部は、その下方側に前記通信部を有し、さらに当該通信部に対する位置を示すマーカ画像を前記携帯情報端末に投影するマーカ光源を有することを特徴とする車載用電子機器が提供される。
【発明の効果】
【００１５】
本発明によれば、通信部（カードリーダ）が使用者から見えない位置に搭載されている場合でも、確実に携帯情報端末を通信可能な位置に誘導できる。
【図面の簡単な説明】
【００１６】
【図１】車載電子機器におけるカードリーダの搭載位置を説明する図である。
【図２】本実施形態における車載電子機器の構成を説明する図である。
【図３】車載電子機器の使用状況を説明する図である。
【図４】車載電子機器２の概略構成図である。
【図５】マーカ光源１２の構成を説明する図である。
【図６】携帯情報端末５０に投影されるマーカ画像の例を示す図である。
【図７】さらに好ましい態様における、携帯情報端末５０に投影されるマーカ画像の例を示す図である。
【図８】車載電子機器２の動作手順を説明するフローチャート図である。
【発明を実施するための形態】
【００１７】
以下、図面にしたがって本発明の実施の形態について説明する。但し、本発明の技術的範囲はこれらの実施の形態に限定されず、特許請求の範囲に記載された事項とその均等物まで及ぶものである。
【００１８】
本実施形態における車載電子機器は、カーナビゲーション機能や楽曲再生機能に加え、携帯情報端末とBlue Toothなどにより近距離無線通信を行う機能が備えられる。これにより、携帯情報端末から送信される楽曲データの再生出力や、ハンズフリー通話を可能にする。このほかにも、楽曲データをダウンロード購入する機能や、ＥＴＣ機能が備えられる。そして、本実施形態における車載電子機器は、カードリーダを備え、ＩＣカードを搭載した携帯情報端末と無線通信可能に構成される。これにより、携帯情報端末とのBlue Tooth初期設定を簡易に行うことができる。また、携帯情報端末にクレジット決済に必要な情報を記憶しておき、楽曲購入代金やＥＴＣ料金の支払い手段として用いることを可能にする。
【００１９】
図２は、本実施形態における車載電子機器の構成を説明する図である。図２（Ａ）は車載電子機器の前面図を、図２（Ｂ）は同平面図を、図２（Ｃ）は同側面図を示す。また、図３は、車載電子機器の使用状況を説明する図である。ここでは、図２に従って車載電子機器の説明をしつつ、適宜図３を参照する。
【００２０】
車載電子機器２の筐体４前面には表示画面（表示部）６ａと操作ボタン（操作入力部）６ｂとを有する操作パネル６が取り付けられる。筐体４は、運転座席前方のインストルメントパネルＩＰ内に埋設された状態で搭載される。操作パネル６は、筐体４の前面下部に設けられる保持部８により保持される。保持部８には、筐体４内の電子回路と操作パネル６内の電子回路とを接続する信号線が収容される。
【００２１】
保持部８により、操作パネル６が筐体４から離間し、座席に着座した使用者に操作可能な位置に保持される。このときの状態は、図３（Ａ）に示される。保持部８は、例えば一対の金属製レールで構成される。さらに、保持部８が例えば筐体４前方において矢印Ａ１が示すように摺動して進退し、所望の位置で固定されるように構成してもよい。なお、保持部８の形状やレールの数は上記に限られない。たとえば、３本以上のレールで構成されてもよいし、筐体４の前方方向に長手形状を有する板状部材で構成してもよい。
【００２２】
また、操作パネル６は、保持部８に対し矢印Ａ２が示すように傾動可能に設けられる。操作パネル６は、傾動することにより使用者の操作入力や画面表示に最適な角度に保たれる。また、操作パネル６が保持部８の摺動方向と水平になるまで傾動し、保持部８とともに筐体４に収容される構成としてもよい。
【００２３】
また車載電子機器２は、非接触型ＩＣカード用のカードリーダ（通信部）１０を有する。通信部１０は、筐体４の前方方向と交差する上下方向における保持部８の下方側に取り付けられる。ここでは、保持部８をなす一対のレールの中空部分に設けられる。通信部１０は保持部８の下方側に電波ＲＷを送出し、ＩＣカード５２と無線通信可能に構成される。ＩＣカード５２は、使用者が携行する携帯情報端末５０に搭載される。携帯情報端末５０は、例えば携帯電話機で構成される。
【００２４】
このように、通信部１０を保持部８に備えることにより、操作パネル６を傾動あるいは筐体４に収納したときに露出する筐体４の前面部や、操作パネル６の使用者に対して裏面側に通信部１０を設ける場合と比較して、次のような効果が得られる。まず、通信部１０を筐体４や操作パネル６内の電子回路から離間させることができる。よって、電波による電子回路へのノイズを低減できる。また筐体４の前面部には、ＣＤやＤＶＤといった記録媒体の挿入孔５ａを設けたり、他の電子機器との接続ポート５ｂを設けたりできる。よって、設計の自由度が向上する。
【００２５】
また、通信部１０を保持部８の下方側に設けるので、車載電子機器２の外観上目立たず、全体的な意匠への影響を低減できる。さらに、通信部付きの車載電子機器であることが外観上分かりにくくなる。よって、多機能で高価な車載電子機器を対象とした盗難のリスクを軽減できる。
【００２６】
一方、上記のように設けられる通信部１０は、座席に着座した使用者の目の位置から下方側であって直接見えない位置にある。よって、使用者が携帯情報端末５０を通信部１０にかざすときには、携帯情報端末５０のＩＣカード５２が搭載された部位を上方に向けた状態で把持し、手探りによりかざすことになる。このときの状態は、図３（Ｂ）に示される。
【００２７】
本実施形態では、車載電子機器２は、携帯情報端末５０にマーカ画像を照射するマーカ光源を備える。後に詳述するように、マーカ画像は通信部１０に対する位置を示す。よってマーカ画像により携帯情報端末５０を通信可能な位置に確実に誘導することができる。
【００２８】
図４は、車載電子機器２の概略構成図である。筐体４には、車載電子機器２の機能を制御する制御部２０が備えられる。制御部２０はＣＰＵにより構成され、制御プログラムに従って制御動作のための各種演算処理を行う。制御プログラムは、図示を省略したＲＯＭ（Read  Only Memory）に格納される。また、図示を省略したＲＡＭ（Random Access Memory）が、演算処理のための作業領域として用いられる。また筐体４には、地図情報や楽曲データを格納する記憶部２２が備えられる。記憶部２２は、一例としてハードディスクで構成される。
【００２９】
また筐体４には、Blue Tooth による無線通信を行うBlue Toothモジュール１１ａが備えられる。また、筐体４には楽曲その他の音声データに基づき音声信号を生成する音声再生部２８を有する。音声再生部２８はＤＳＰ（Digital Signal Processor）で構成される。音声データのうち楽曲データは、ダウンロード購入などにより記憶部２２に予め格納される。また、Blue Tooth通信により携帯情報端末５０から送信される。またその他の音声データとして、携帯情報端末５０からは外部との通話音声データが送信される。そして、音声信号は、車室内のスピーカ３０に出力される。
【００３０】
また、図３で示した、ＣＤやＤＶＤといった記録媒体の挿入孔５ａ、他の電子機器との接続ポート５ｂは、インターフェース２６に対応する。制御部２０は、インターフェース２６を介して、外部の記憶媒体や外部機器からのデータ（例えば楽曲データ）を取得する。あるいは、マイクロフォンと接続され、使用者の通話音声を取得する。そして、通話音声をBlue Tooth通信により携帯情報端末５０に送信し、ハンズフリー通話を可能にする。
【００３１】
さらに、筐体４には、通信制御部４２が備えられる。通信制御部４２は、車両に搭載された通信機４０を制御し、車両外の通信相手と無線通信を行う。例えば、楽曲データ購入機能が起動されるときには、通信制御部４２は無線通信局との無線通信を行い、無線通信局に接続される公衆通信回線網に接続する。公衆通信網は、たとえばインターネットである。また、ＴＯＣ機能が起動されるときには、通信制御部４２はトールゲートに設けられた通信機と通信を行う。
【００３２】
また筐体４には、保持部８を摺動させる駆動部２４が備えられる。駆動部２４は、保持部８を駆動するモータなどの駆動機構と、その制御回路を有する。
【００３３】
操作パネル６には、表示部６ａの制御を行う表示制御回路６２が備えられる。表示部６ａは、液晶ディスプレイパネルまたは有機ＥＬディスプレイパネルなどからなる。表示制御回路６２は、制御部２０からの入力に従い、表示部６ａに画像を表示させる。また操作パネ６には、操作入力部６ｂの制御を行う操作入力制御回路６４が備えられる。操作入力制御回路６４は、操作入力に対応する指示信号を制御部２０に入力する。
【００３４】
保持部８には、上述したように通信部１０が備えられる。通信部１０は、ループアンテナを内蔵した非接触型ＩＣカード用のカードリーダで構成される。ループアンテナのサイズは、後述するＩＣカードとの通信に用いる周波数と通信距離とに対応し、例えば一辺が数ｃｍ〜１０ｃｍの矩形形状に構成される。通信部１０は、ループアンテナから所定周波数の電波を送受信して、携帯情報端末５０のＩＣカード５２と無線通信を行う。また保持部８には、携帯情報端末５０にマーカ画像を照射するマーカ光源１２が備えられる。マーカ光源１２の構成については、後に詳述する。
【００３５】
携帯情報端末５０は、一例として携帯電話機で構成される。携帯情報端末５０には、非接触型のＩＣカード５２が備えられる。ＩＣカード５２は、通信部１０が発する電波を受けて電磁誘導により給電され、データ送信のための電波を送出する。ＩＣカード５２の例として、ＦｅｌｉＣａ（登録商標）、ＭＩＦＡＲＥ（登録商標）などがあげられる。これらは、ＮＦＣ（Near Field Communication）プロトコルに対応し、１３．５６ＭＨｚ帯の搬送波を用いて近距離での無線通信を行う。ここでは、通信部１０のループアンテナとＩＣカード５２が送出する電波の強度は、相互に１０ｃｍ程度以内の距離範囲内に位置するときに無線通信が可能な強度に設定される。
【００３６】
また、携帯情報端末５０には、車載電子機器１０とBlue Toothによる無線通信を行うBlue Toothモジュール１１ｂが備えられる。
【００３７】
さらに、携帯情報端末５０には、その動作を制御する制御部５４が設けられる。制御部５４は、一例としてＭＰＵ（Micro Processing Unit）で構成される。また、携帯情報端末５０には、楽曲データや、Blue Toothの初期設定に必要な認証情報、あるいはクレジット決済のための使用者の与信情報を格納する記憶部５６が備えられる。記憶部５６は、一例として書換え可能な不揮発性メモリで構成される。記憶部５６に格納される認証情報や与信情報は、ＩＣカード５２によりデータ信号として車載電子機器２に送信される。そして、記憶部５６に格納される楽曲データは、Blue Toothモジュール１１ｂにより車載電子機器２に送信される。
【００３８】
上記構成において、制御部２０は、カーナビゲーションの制御、オーディオシステムの制御を行う。また、制御部２０は、Blue Toothの初期設定のための認証処理を行う。使用者が認証処理の実行を指示入力すると、制御部２０はこれに応答して、後述の制御動作を実行する。初期設定が完了した後は、携帯情報端末５０とBlue Tooth通信により楽曲データや通話音声データを送受信可能になる。
【００３９】
さらに制御部２０は、使用者の入力に応答して楽曲データのダウンロード購入を行う。使用者が楽曲データ購入の起動を指示入力すると、制御部２０はこれに応答して、通信制御部４２に公衆通信網に接続させる。そして、使用者が操作入力部６ｂに入力したアドレス情報に基づいて、公衆通信回線網を介して販売者のサーバに接続し、楽曲データの配信を受ける。そして、使用者が料金支払いを選択入力すると、これに応答して、制御部２０は後述の制御動作を実行する。
【００４０】
さらに制御部２０は、使用者の入力に応答してＥＴＣ料金の支払いを実行する。使用者がＥＴＣ機能の起動を指示入力すると、制御部２０はこれに応答して、通信制御部４２にＥＴＣゲートの通信機と交信させる。そして、使用者が料金支払いを選択入力すると、これに応答して、制御部２０は次に述べる制御動作を実行する。
【００４１】
制御部２０は、認証処理を行うとき、あるいは料金支払い時に、まずマーカ光源１２を点灯させるとともに、通信部１０に電波を放射させる。そして、使用者が携帯情報端末５０を通信部１０に近づける。このとき、使用者は携帯情報端末５０の表面に照射されたマーカ画像を見ながら、通信部１０とに対する携帯情報端末５０の位置を調節する。マーカ画像による位置の判断につていは、後に詳述する。そして通信可能な距離範囲内に入ると、ＩＣカード５２が給電されて認証情報や与信情報といったデータを送信する。
【００４２】
すると、通信部１０は、これらデータを受信して制御部２０に渡す。制御部２０は、認証情報に基づいて認証処理を行ったり、与信情報を必要な送信先へ転送したりする。楽曲データを購入する場合には、通信制御部４２によりネットワークを介して販売者のサーバに送信する。ＥＴＣゲートを通過する場合には、通信制御部４２によりトールゲート側の無線通信機に送信する。
【００４３】
本実施形態では、マーカ光源が発するマーカ画像は、通信部１０に対する携帯情報端末の位置を示す。ここで、通信部１０に対する位置は、通信部１０から鉛直方向における位置（つまり距離）を含む。
【００４４】
図５は、マーカ光源１２の構成を説明する図である。図５（Ａ）に示すように、マーカ光源１２は、可視光線を発光するＬＥＤなどの発光素子１２ａと、その光をレンズや反射鏡により集光して照射する照射部１２ｂとを有する。発光素子１２ａが発する可視光線は、使用者がマーカ画像を視認できる色であれば何色でもよい。特に、目立つ赤色、青色などが好適に用いられる。また発光素子１２ａは、後述するマーカ画像を形成するような形状に配置される。あるいは、スリットを設けた遮蔽板により照射部１２ｂを覆ってもよい。遮蔽板にマーカ画像と同じ形状のスリットを設けておくことにより、スリットを通過したマーカ光によりマーカ画像を形成することができる。
【００４５】
照射部１２ｂは、マーカ光源１２の鉛直方向（Ｖ１）に対しある程度の角度θを有するようにマーカ光を集光して照射する。この結果、照射面の距離が離れるほど、照射面積が大きくなる（Ｒ２）。よって、マーカ画像の大きさが大きくなる。反対に、照射面の距離が近づくほど、照射面積が小さくなる（Ｒ１）。よって、マーカ画像の大きさが小さくなる。
【００４６】
また、マーカ光源１２は、通信部１０の近傍に設けられる。好ましくは、通信部１０に内蔵されたループアンテナの中央付近に設ける。そうすることにより、マーカ画像の大きさにより、照射面の通信部１０からの位置を示すことができる。
【００４７】
図５（Ｂ）には、照射面の位置に応じたマーカ画像の例が示される。ここでは、矩形形状のマーカ画像Ｍ１と、円形形状のマーカ画像Ｍ２が照射された場合が示される。図示するように、通信部１０との距離が離れるほどマーカ画像Ｍ１、Ｍ２は大きく、距離が近づくほどマーカ画像Ｍ１、Ｍ２が小さくなる。このように、マーカ画像の大きさを視認することにより、通信部１０からの照射面の位置を把握できる。
【００４８】
図６は、携帯情報端末５０に投影されるマーカ画像の例を示す。図６（Ａ）に示すように、好ましい実施の態様では、携帯情報端末５０のＩＣカードが内蔵された位置には予め目印Ｔ１が設けられる。目印Ｔ１は、マーカ画像Ｍ１の形状に対応した形状を有する。ここでは目印Ｔ１がマーカ画像Ｍ１と同じ矩形形状を有する場合を示す。ただし、マーカ画像の形状に応じて、円形その他の形状であってもよい。
【００４９】
目印Ｔ１の大きさは、携帯情報端末５０の寸法に応じて任意に設定される。また、図５（Ａ）で示したマーカ光の角度θは、携帯情報端末５０の位置が通信部１０の通信可能な範囲内にあるときに、目印Ｔ１の内側にマーカ画像Ｍ１が投影されるような角度θに予め設定される。
【００５０】
そうすると、図６（Ｂ）、（Ｃ）に示すように、通信可能な距離範囲内の位置の場合にはマーカ画像が目印の内側に形成され（図６（Ｂ））、通信可能な距離範囲外の位置の場合にはマーカ画像が目印の外側に形成される（図６（Ｃ））。
【００５１】
図７は、さらに好ましい態様における、携帯情報端末５０に投影されるマーカ画像の例を示す。ここでは、マーカ光源１２は、２つのマーカ画像Ｍ１、Ｍ１１を投影するように構成される。かかるマーカ画像は、上述したように、発光素子１２ａの配置により形成してもよいし、照射部１２ｂを覆う遮蔽板にスリットを設けることにより形成してもよい。ここでは、マーカ画像Ｍ１が通信部１０からの距離を示すことに加え、さらにマーカ画像Ｍ１１は通信部１０の中心位置を示す。なお、ここで示したマーカ画像Ｍ１１とＭ１２の形状の組み合わせは一例であって、他の形状の組み合わせであってもよい。
【００５２】
さらに好ましくは、携帯情報端末５０側にも、ＩＣカードの中心位置を示す目印Ｔ１１を設ける。そうすることにより、使用者は、マーカ画像Ｍ１が目印Ｔ１の内側の領域に形成されるようにするとともに、マーカ画像Ｍ１１が目印Ｔ１１に収まるように携帯情報端末５０をかざすことができる。よって、通信可能な距離範囲内であることに加え、通信部１１の直下に携帯情報端末５０を誘導できる。このように、マーカ画像と目印の大きさとの相対的な関係や、マーカ画像と目印の相対的な位置関係を視認することにより、使用者は携帯情報端末５０を通信部１０に対する最適な位置に確実にかざすことができる。
【００５３】
図８は、車載電子機器２の動作手順を説明するフローチャート図である。図８の手順は、Blue Tooth初期設定を行う際、あるいはダウンロード購入やＥＴＣゲートを通過する際の料金支払いを実行するときの動作手順である。
【００５４】
使用者が、操作入力部６ｂから認証処理や支払を指示入力すると、制御部２０がこの入力を受け付ける（Ｓ２）。そして、制御部２０は、通信部１０に電波を発信させ（Ｓ４）、それからマーカ光源１２を点灯させる（Ｓ６）。そして、使用者が上述のようにして携帯情報端末５０を通信部１０にかざしたときに、認証情報や与信情報などのデータが携帯情報端末５０から送信されるので、通信部１０がこれを受信する（Ｓ８のＹＥＳ）。すると制御部２０は、通信部１０に電波の発信を停止させ（Ｓ１０）、それからマーカ光源１２を消灯させる（Ｓ１２）。
【００５５】
上述したように、本実施形態によれば、アンテナが使用者から見えない位置に設けられている場合でも、使用者が携帯情報端末をアンテナから通信可能な位置にかざすことができる。
【００５６】
上記においてBlue Toothの初期設定を行う際に、通信部１０と携帯情報端末５０の通信可能距離が限定されていることにより、他の携帯情報端末５０からの認証情報を受信することが回避される。よって、セキュリティが確保される。なお、Blue Toothのほかにも、たとえばＺｉｇｂｅｅやＷｉ−Ｆｉなどの方式であってもよい。それぞれの場合において、本実施形態によれば、使用者が煩雑な操作をすることなく、かつセキュリティを確保しつつ、認証情報に基づく初期設定が可能となる。  
【００５７】
以上のように、本実施形態によれば、使用者からは見えない位置に通信部が搭載された場合であっても、確実に携帯情報端末を通信部からの通信可能な位置に誘導することができる。
【符号の説明】
【００５８】
２：車載電子機器、４：筐体、６：操作パネル、８：保持部、１０：通信部、１２：マーカ光源、５０：携帯情報端末、５２：ＩＣカード
【図１】
2010221785.tif 000003
【図２】
2010221785.tif 000004
【図３】
2010221785.tif 000005
【図４】
2010221785.tif 000006
【図５】
2010221785.tif 000007
【図６】
2010221785.tif 000008
【図７】
2010221785.tif 000009
【図８】
2010221785.tif 000010